(57)【要約】【課題】使い捨てカイロをベルト本体の内側もしくは外側に安定して装着保持できるようにした骨盤ベルトを提供する。【解決手段】骨盤ベルト１のベルト本体４の長さ方向適所を内外から包むようにシートを材料とする筒状の保持体５でベルト本体４を覆うようにし、前記筒状の保持体５とベルト本体４との間を使い捨てカイロ６を収納するための収納部７とし、前記筒状体５の側方より使い捨てカイロ６の収納、取り出しを行なうようにし、前記筒状の保持体５の長さ方向両側端部より、保持体５とベルト本体４との間の収納部７内に対する通気性が確保されるようにした。【選択図】  図３
2015083109.tif 000002
【特許請求の範囲】
【請求項１】
骨盤ベルトのベルト本体の長さ方向適所において、ベルト本体の内外面の内、少なくとも何れか一方に使い捨てカイロを取り出し可能に収納するための収納部を有する保持体を設け、収納部内に対し通気性を備えるようにしたことを特徴とする骨盤ベルト。
【請求項２】
ベルト本体の長さ方向適所を内外から包むようにシートを材料とする筒状の保持体でベルト本体を覆うようにし、前記筒状の保持体とベルト本体との間を使い捨てカイロを収納するための収納部とし、前記保持体の側方より使い捨てカイロの収納、取り出しを行なうようにしたことを特徴とする請求項１記載の骨盤ベルト。
【請求項３】
筒状の保持体の一方の端部をベルト本体に固定させ、前記保持体の他方の端部側より使い捨てカイロの収納、取り出しを行なうようにしたことを特徴とする請求項２記載の骨盤ベルト。
【請求項４】
骨盤ベルトのベルト本体の長さ方向適所を内外から包むようにシートを材料とする筒状の保持体でベルト本体を覆うようにし、前記筒状の保持体とベルト本体との間を使い捨てカイロを収納するための収納部とし、前記保持体の上端部に開口部を設けて保持体の上方または側方より使い捨てカイロの収納、取り出しを行なうようにしたことを特徴とする請求項１または請求項３記載の骨盤ベルト。
【請求項５】
ベルト本体の内側および外側の少なくとも何れか一方で保持体のシートを二層構造とし、この二層構造のシート部間を使い捨てカイロの収納部としたことを特徴とする請求項２〜４の何れか１項に記載の骨盤ベルト。
【請求項６】
骨盤ベルトのベルト本体の長さ方向適所の内外面の内、少なくとも何れか一方に粘着または保持された使い捨てカイロを、ベルト本体に沿ってスライド可能でシートを材料とする筒状の保持体で被覆するようにしたことを特徴とする骨盤ベルト。
【請求項７】
保持体が樹脂製シート、布、紙または表面に植毛した樹脂製シート、複数の孔を穿設したシートの何れか、またはこれらの組み合わせた材料からなることを特徴とする請求項１〜６の何れか１項に記載の骨盤ベルト。
【発明の詳細な説明】
【技術分野】
【０００１】
本発明は、人間の腰に巻き付け腰部を安定させる骨盤ベルトに関するものである。
【背景技術】
【０００２】
従来のこの種骨盤ベルトとしては例えば特許文献１に開示されている腰用ベルトが知られている。具体的にはこの腰用ベルトは、伸縮性を有する材料からなる帯状のベルト本体と、前記ベルト本体の両端部に設けられ、互いに係止される面ファスナーとを有しており、前記ベルト本体の肌に接する側の面には、前記ベルト本体の幅方向一方端部から幅方向他方端部に至る凹溝が細長い凸部を散点状に作るように押圧形成されており、前記凸部は、その長軸側が前記ベルト本体の幅方向に沿っており、前記短軸側が前記ベルト本体の長手方向に沿っているものである。
【先行技術文献】
【特許文献】
【０００３】
【特許文献１】特開２０１３−７９４５３号公報
【発明の概要】
【発明が解決しようとする課題】
【０００４】
上記特許文献１に開示されている腰用ベルトのベルト本体は具体的には天然ゴムを母材とし、セシオン（株式会社日野樹脂登録商標）が練り込まれた材料で作られており、セシオンにより遠赤外線の効果を期待しようとするものであるが、さらに腰部を温めたい場合はベルト本体に対して使い捨てカイロをカイロ裏面の粘着剤により簡易に粘着するのが現状である。
しかしながら、前記粘着剤は強力なものでなく、使い捨てカイロがベルト本体から剥がれて、不測に離脱するという問題があった。
【０００５】
本発明の目的は、このような課題を解決するものであり、上記のようなセシオンが練り込まれた材料で作られた骨盤ベルトのみならず、各種骨盤ベルトに適用でき、使い捨てカイロをベルト本体の内側もしくは外側に安定して装着保持できるようにした骨盤ベルトを提供することにある。
【課題を解決するための手段】
【０００６】
本発明の請求項１に記載の骨盤ベルトは、骨盤ベルトのベルト本体の長さ方向適所において、ベルト本体の内外面の内、少なくとも何れか一方に使い捨てカイロを取り出し可能に収納するための収納部を有する保持体を設け、収納部内に対し通気性を備えるようにしたものである。
【０００７】
請求項２に記載の骨盤ベルトは、ベルト本体の長さ方向適所を内外から包むようにシートを材料とする筒状の保持体でベルト本体を覆うようにし、前記筒状の保持体とベルト本体との間を使い捨てカイロを収納するための収納部とし、前記保持体の側方より使い捨てカイロの収納、取り出しを行なうようにしたものである。
【０００８】
請求項３に記載の骨盤ベルトは、筒状の保持体の一方の端部をベルト本体に固定させ、前記保持体の他方の端部側より使い捨てカイロの収納、取り出しを行なうようにしたものである。
【０００９】
請求項４に記載の骨盤ベルトは、骨盤ベルトのベルト本体の長さ方向適所を内外から包むようにシートを材料とする筒状の保持体でベルト本体を覆うようにし、前記筒状の保持体とベルト本体との間を使い捨てカイロを収納するための収納部とし、前記保持体の上端部に開口部を設けて保持体の上方または側方より使い捨てカイロの収納、取り出しを行なうようにしたものである。
【００１０】
請求項５に記載の骨盤ベルトは、ベルト本体の内側および外側の少なくとも何れか一方で保持体のシートを二層構造とし、この二層構造のシート部間を使い捨てカイロの収納部としたものである。
【００１１】
請求項６に記載の骨盤ベルトは、骨盤ベルトのベルト本体の長さ方向適所の内外面の内、少なくとも何れか一方に粘着または保持された使い捨てカイロを、ベルト本体に沿ってスライド可能でシートを材料とする筒状の保持体で被覆するようにしたものである。
【００１２】
請求項７に記載の骨盤ベルトは、保持体が樹脂製シート、布、紙または表面に植毛した樹脂製シート、複数の孔を穿設したシートの何れか、またはこれらの組み合わせた材料からなるものである。
【発明の効果】
【００１３】
以上のように、本発明の骨盤ベルトは、骨盤ベルトのベルト本体の長さ方向適所において、ベルト本体の内外面の内、少なくとも何れか一方に使い捨てカイロを取り出し可能に収納するための収納部を有する保持体を設けたので、この収納部に使い捨てカイロを収納することにより、使い捨てカイロをベルト本体に対し安定した装着状態で保持することができる。また、ベルト本体の内面側および外面側の両方で使い捨てカイロを保持できるようにすることにより、使い捨てカイロの熱さの感じ方によってベルト本体の内側で使い捨てカイロを保持するか、あるいはベルト本体の外側で使い捨てカイロを保持するかを選択することができる。
【００１４】
また、ベルト本体の長さ方向適所を内外から包むようにシートを材料とする筒状の保持体でベルト本体を覆うようにし、前記筒状の保持体とベルト本体との間を使い捨てカイロを収納するための収納部とし、前記保持体の側方より使い捨てカイロの収納、取り出しを行なうようにしたことにより、ベルト本体の内外両面に収納部を簡単に形成できる。
【００１５】
また、前記筒状の保持体の両側部をベルト本体に対し固定せずにフリーにするか、あるいは筒状の保持体の一側部のみをベルト本体に固定させておくことにより、ベルト本体が伸び縮みしても筒状の保持体は何ら影響されることはない。
【００１６】
また、骨盤ベルトのベルト本体の長さ方向適所を内外から包む筒状の保持体の上端部に開口部を設けたことにより、保持体の上方または側方より使い捨てカイロの収納、取り出しを行なうことができる。
【００１７】
また、ベルト本体の内側および外側の少なくとも何れか一方で保持体のシートを二層構造とし、この二層構造のシート部間を使い捨てカイロの収納部としたことにより、この二層構造のシート部の内側のシート部とベルト本体との間に使い捨てカイロを収納するか、あるいは二層構造のシート部間に使い捨てカイロを収納するかを使用者が選択することができ、これにより使い捨てカイロからの熱の感じ方を調節することができる。
【００１８】
また、骨盤ベルトのベルト本体の長さ方向適所の内外面の内、少なくとも何れか一方に粘着または保持された使い捨てカイロを、ベルト本体に沿ってスライド可能でシートを材料とする筒状の保持体で被覆するようにしたことにより、ベルト本体に対する使い捨てカイロの保持を容易に行なうことができる。
【００１９】
さらに、保持体が樹脂製シート、布、紙、表面に植毛した樹脂製シート、複数の孔を穿設したシートの何れか、またはこれらの組み合わせた材料からなることにより、安価な材料からなる保持体で、使い捨てカイロをベルト本体に保持することができる。
【図面の簡単な説明】
【００２０】
【図１】本発明の第１の実施の形態における骨盤ベルトに筒状の保持体をセットする前の分解斜視図である。
【図２】同筒状の保持体を骨盤ベルトのベルト本体にセットした状態を示す斜視図である。
【図３】同骨盤ベルトに使い捨てカイロを装着する状態を示す斜視図ある。
【図４】同骨盤ベルトに使い捨てカイロを装着した状態を示す断面図ある。
【図５】本発明の第２の実施の形態における骨盤ベルトに使用される筒状の保持体の拡大斜視図である。
【図６】同筒状の保持体を骨盤ベルトのベルト本体にセットした状態を示す斜視図である。
【図７】本発明の第３の実施の形態における骨盤ベルトの異なった使用例を示す斜視図である。
【図８】本発明の第４の実施の形態における骨盤ベルトに使用される筒状の保持体の拡大斜視図である。
【図９】同筒状の保持体を骨盤ベルトのベルト本体にセットした状態を示す斜視図である。
【図１０】同骨盤ベルトのベルト本体にセットされた筒状の保持体の二層構造のシート部間に使い捨てカイロを収納した状態を示す断面図である。
【図１１】本発明の第５の実施の形態における筒状の保持体を骨盤ベルトのベルト本体にセットした状態を示す斜視図である。
【図１２】同ベルト本体に対する筒状の保持体の融着部の拡大断面図である。
【発明を実施するための形態】
【００２１】
以下、本発明の実施の形態を、図面に基づいて説明する。
（第１の実施の形態）
先ず、図１〜図４に示す第１の実施の形態について説明すると、１は骨盤ベルトであって、天然ゴムにより作られ、一端側の無数の鈎を持つフックテープ２と、他端側の無数のループを持ち前記フックテープ２に係止するループテープ３と、からなる面ファスナーを備え、人間の腰に巻き付けて使用する。この骨盤ベルト１はこの面ファスナーを備えた両端間のベルト本体４の長さ方向適所を内外から、シートを材料とする筒状の保持体５で覆うようにし、前記筒状の保持体５とベルト本体４との間は、使い捨てカイロ６を収納するための収納部７とし、前記保持体５の両側端部の何れかより、前記収納部７に使い捨てカイロ６の収納、取り出しを行なうようにしてある。詳しくは、前記保持体５は横方向に長い筒状の形態を呈し、この筒状の保持体５でベルト本体４の長さ方向適所を内外から包むことにより、ベルト本体４の内面側および外面側にそれぞれ収納部７を備えることになり、使用する人の好みなどに応じてベルト本体４の内面側および外面側の少なくとも何れか一方に使い捨てカイロ６を入れて使用できるようになっている。具体的には、保持体５は例えば塩化ビニール樹脂製のシートを横方向に沿う折り曲げ線８で２つ折りし、互いに近接する端部同士を熱により融着することにより形成されるものであり、図面に示す実施の形態では前記折り曲げ線８は筒状の保持体５の下端に位置し、前記端部同士の熱融着部９は保持体５の上端に横長さ方向全長に亘って形成されていて、上下両端とも閉じた状態となっている。ただし、前記折り曲げ線８および熱融着部９は、上下関係を逆にしてもよい。
【００２２】
以上述べた第１の実施の形態では、筒状の保持体５の長さ方向両側端部はベルト本体４に対し固定されておらず、筒状の保持体５をベルト本体４の長さ方向の所望の位置に移動セットすることが可能である。また、筒状の保持体５の長さ方向両側端部はベルト本体４に対し固定されていないので、筒状の保持体５の長さ方向両側端部より、保持体５とベルト本体４との間の収納部７内に対する通気性が確保される。さらに、骨盤ベルト１の使用に際し、ベルト本体４は長さ方向に伸び縮みが生じるが、筒状の保持体５の長さ方向両側端部はベルト本体４に対し固定されておらず、フリーであるので、ベルト本体４の伸び縮みの影響を受けることはない。
【００２３】
（第２の実施の形態）
次に、図５および図６に示す第２の実施の形態について説明する。この第２の実施の形態は筒状の保持体５の熱融着部９が存在するのは保持体５の上端側における長さ方向両側端部のみであって、この熱融着された長さ方向両側端部を除く上端部は熱融着されず、上方に開口しており、この開口部１０からも収納部７に対する使い捨てカイロ６の収納、取り出しを行なえるようになっている。
【００２４】
（第３の実施の形態）
次に、図７に示す第３の実施の形態について説明する。この第３の実施の形態は使い捨てカイロ６をその裏面に設けられた粘着剤でベルト本体４の長さ方向適所の内外面の内、少なくとも何れか一方に先付けした状態とし、この使い捨てカイロ６をベルト本体４に沿ってスライド可能な筒状の保持体５で被覆するようにした異なった使用例である。粘着剤の無い使い捨てカイロ６を使用する場合は、粘着テープなどの他の手段を用いるようにしてもよいし、粘着テープなどを用いることなく、そのまま使い捨てカイロ６をベルト本体４に押さえて保持し、保持体５をベルト本体４に沿ってスライドしてカイロ６を被覆してもよい。
【００２５】
この第３の実施の形態では図７に示すように上端が閉じた第１の実施の形態の保持体５が用いられているが、上端に開口部１０を備えた第２の実施の形態の保持体５を用いることも可能である。
【００２６】
（第４の実施の形態）
次に、図８〜図１０に示す第４の実施の形態について説明する。この第４の実施の形態は前記第２の実施の形態で用いた筒状の保持体５の変形例であって、ベルト本体４の内側および外側の少なくとも何れか一方で保持体５のシートを二層構造とし、この二層構造のシート部５ａ，５ａ間を使い捨てカイロ６の収納部７とし、この二層構造のシート部５ａ，５ａの内側のシート部５ａとベルト本体４との間に使い捨てカイロ６を収納するか、あるいは二層構造のシート部５ａ，５ａ間に使い捨てカイロ６を収納するかを使用者が選択することができる。
この第４の実施の形態では図面に示すように第２の実施の形態と同様に筒状の保持体５の上端には開口部１０を備えているが、開口部１０は存在せず、保持体５の上端は閉じていてもよい。そして、この第４の実施の形態の保持体５は使い捨てカイロ６をベルト本体４に粘着などにより保持せずに保持体５をベルト本体４にセットした状態で保持体５の内部に使い捨てカイロ６を収納して使用する場合は勿論のこと、第３の実施の形態のようにベルト本体４の長さ方向適所の内外面の内、少なくとも何れか一方に使い捨てカイロ６の粘着剤で粘着するか、または使い捨てカイロ６を粘着せずにベルト本体４に押さえて保持し、保持体５で被覆して使用する場合にも利用できる。
【００２７】
（第５の実施の形態）
次に、図１１および図１２に示す第５の実施の形態について説明する。この第５の実施の形態は前記第１の実施の形態で用いた筒状の保持体５と同様の塩化ビニール樹脂製の保持体５を用い、この筒状の保持体５の長さ方向の一方の端部を、ベルト本体４の内面側および外面側より融着し、筒状の保持体５をベルト本体４に対し固定してある。詳しくは、ベルト本体４への保持体５の取り付け位置において、ベルト本体４の幅方向に適当間隔おきに複数個の丸孔１１を貫通形成しておき、この貫通形成された丸孔１１の位置で、ベルト本体４の内面側および外面側に存在する筒状の保持体５のシート同士を熱により融着させることにより筒状の保持体５がベルト本体４に固定されている。図１２の１２は丸孔１１での内外面のシート同士の融着部である。このような構成により、この実施の形態では、筒状の保持体５の長さ方向の他方の固定されていない端部側からのみ収納部７に対する使い捨てカイロ６の収納、取り出しを行なえるようになっている。
【００２８】
この第５の実施の形態のようにベルト本体４に対し固定される筒状の保持体５として第１の実施の形態のように上端が閉じている保持体５でもよく、また第２の実施の形態のように上端に開口部１０を備えた保持体５であってもよく、さらには、第４の実施の形態のように二層構造のシート部５ａ，５ａを備えた保持体５であってもよい。
【００２９】
ところで、前記保持体５の材料であるシートに、塩化ビニール樹脂製シートを用いたが、このシートは塩化ビニール製に限定されず、その他の樹脂製シートであってもよい。この樹脂製シートの場合、可塑剤の量によりシートの硬さが異なるので、適当な硬さのシートを使用する。また樹脂製シートの他、織り編み物からなる布製シート、不織布製シート、紙または表面に植毛した樹脂製シートまたは複数の孔を穿設したシートの何れか、またはこれらの組み合わせた材料からを用いることができる。そして、具体的には前記布製シートの材料として、綿１００％の他、綿とポリエステルあるいはナイロンなどの化学繊維とを混用したものであってもよい。また、この布製シートは表面に塩化ビニール樹脂をラミネートしたものであってもよい。さらに、前記樹脂製シートを用いた場合はシートを横方向に沿う折り曲げ線で２つ折りした後、互いに近接する端部同士を熱により融着させたが、織り編み物からなる布製のシートや不織布製のシートを用いた場合は互いに近接する端部同士を縫着すればよい。
【００３０】
以上述べた第１〜第５の実施の形態ともベルト本体４の長さ方向に伸び縮みが生じても、筒状の保持体５はベルト本体４の伸び縮みの影響を受けることはない。
【００３１】
また、以上述べた各図面に示す実施の形態では保持体５はベルト本体４の長さ方向の１箇所に設けられているが、ベルト本体４の長さ方向の１箇所に限らず、数箇所に設けるようにしてもよい。また、図面に示す実施の形態では保持体５は、使い捨てカイロ６を１個収納もしくは被覆しているが、２個以上収納もしくは被覆するようにしてもよい。
【００３２】
さらに、第３の実施の形態を除いて、他の図面に示す各実施の形態では筒状の保持体５でベルト本体４の長さ方向適所を内外から包んで、ベルト本体４の内面側および外面側にそれぞれ収納部７を形成しているが、保持体５を単なるシートとし、このシートをベルト本体４の内面側および外面側の少なくとも何れか一方に対し固着させることにより、シートとベルト本体４との間に収納部７を形成するようにしてもよい。その場合、シートはベルト本体と同様に伸び縮みする素材であることが望ましい。
【００３３】
また、保持体５を骨盤ベルトとは別に作られた袋体とし、ベルト本体４の内面側および外面側の少なくとも何れか一方に対し固着させることにより、収納部７を形成するようにしてもよい。また、図示していないが、袋体で出来た保持体をホックの付いた紐帯や、細いゴム帯でベルト本体４に取り付けるようにしてもよい。
【００３４】
なお、収納部７が設けられる骨盤ベルトは天然ゴムからなる骨盤ベルトに限らず、伸縮性の殆どない布製の骨盤ベルトであってもよい。
【００３５】
前記保持体５の材料として樹脂製のシートを用いる場合は、収納部７内に対し通気性を備えるようにするためにシート内面に多数の溝状の凹部を備えるようにエンボス加工を施すことも可能であり、さらにはシートに多数の通気孔を形成することも可能である。
【００３６】
ところで、以上述べた全ての実施の形態において、使い捨てカイロ６が収納または被覆される収納部７の大きさは使用したい使い捨てカイロ６の大きさに合ったものを適宜選択することが可能である。
【００３７】
以上のように、上記した実施の形態の骨盤ベルト１は、骨盤ベルト１のベルト本体４の長さ方向適所において、ベルト本体４の内外面の内、少なくとも何れか一方で使い捨てカイロ６を収納もしくは被覆できる保持体５を設けたので、この保持体５に使い捨てカイロ６を収納もしくは被覆できるようにすることにより、使い捨てカイロ６をベルト本体４に対して安定した装着状態で保持することができる。また、ベルト本体４の内面側および外面側の両方で使い捨てカイロ６を収納もしくは被覆できるようにすることにより、使い捨てカイロ６の熱さの感じ方によってベルト本体４の内側で使い捨てカイロ６を収納もしくは被覆するか、あるいはベルト本体４の外側で使い捨てカイロ６を収納もしくは被覆するかを選択することができる。
【００３８】
また、ベルト本体４の長さ方向適所を内外から包むようにシートを材料とする筒状の保持体５でベルト本体４を覆うようにし、前記筒状の保持体５とベルト本体４との間を使い捨てカイロ６を収納するための収納部７とし、筒状の保持体５の側方より使い捨てカイロ６の収納、取り出しを行なうようにしたことにより、ベルト本体４の内外両面に収納部７を簡単に形成できる。
【００３９】
また、前記筒状の保持体５の両側部をベルト本体４に対し固定せずにフリーにするか、あるいは筒状の保持体５の一側部のみをベルト本体４に固定させておくことにより、ベルト本体４が伸び縮みしても筒状体５は何ら影響されることはない。
【００４０】
また、骨盤ベルト１のベルト本体４の長さ方向適所を内外から包む筒状の保持体５の上端部に開口部１０を設けたことにより、保持体５の上方または側方より使い捨てカイロ６の収納、取り出しを行なうことができる。
【００４１】
また、ベルト本体４の内側および外側の少なくとも何れか一方で保持体５のシートを二層構造とし、この二層構造のシート部５ａ，５ａ間を使い捨てカイロ６の収納部７としたことにより、この二層構造のシート部５ａ，５ａの内側のシート部５ａとベルト本体４との間に使い捨てカイロ６を収納するか、あるいは二層構造のシート部５ａ，５ａ間に使い捨てカイロ６を収納するかを使用者が選択することができ、これにより使い捨てカイロ６からの熱の感じ方を調節することができる。
【００４２】
また、骨盤ベルト１のベルト本体４の長さ方向適所の内外面の内、少なくとも何れか一方に粘着剤で粘着された使い捨てカイロ６、または粘着せずにベルト本体４に押さえて保持された使い捨てカイロ６を、ベルト本体４に沿ってスライド可能でシートを材料とする筒状の保持体５で被覆するようにしたことにより、使い捨てカイロ６を保持体５の収納部７に収納する場合に比べてベルト本体４に対する使い捨てカイロ６の保持を容易に行なうことができる。
【００４３】
さらに、保持体５が樹脂製シート、布、紙、表面に植毛した樹脂製シートまたは複数の孔を穿設したシートの何れか、またはこれらの組み合わせた材料からなることにより、安価な材料からなる保持体５で、使い捨てカイロ６をベルト本体４に保持することができる。
【産業上の利用可能性】
【００４４】
骨盤ベルトにおいて、ベルト本体に設けた収納部に使い捨てカイロを収納することにより、使い捨てカイロをベルト本体に対し安定した装着状態を保持することができるようにした。
【符号の説明】
【００４５】
１      骨盤ベルト
２      フックテープ
３      ループテープ
４      ベルト本体
５      保持体
５ａ    シート部
６      使い捨てカイロ
７      収納部
８      折り曲げ線
９      熱融着部
１０    開口部
１１    丸孔
１２    融着部
【図１】
2015083109.tif 000003
【図２】
2015083109.tif 000004
【図３】
2015083109.tif 000005
【図４】
2015083109.tif 000006
【図５】
2015083109.tif 000007
【図６】
2015083109.tif 000008
【図７】
2015083109.tif 000009
【図８】
2015083109.tif 000010
【図９】
2015083109.tif 000011
【図１０】
2015083109.tif 000012
【図１１】
2015083109.tif 000013
【図１２】
2015083109.tif 000014